(57)【要約】【課題】素材の重複掲載の有無の検出を、新聞単位を考慮して行うことによって、素材の重複掲載の有無を、より高い精度で判定すること。【解決手段】本発明の新聞制作システムは、紙面データ７１が降版されてなる紙面イメージが、他とは異なる箇所を少なくとも一箇所持ち、同一単位で配達又は販売される新聞群である新聞単位毎に、紙面データ７１と、この紙面データ７１が対応しているページとの対応関係を定義した紙面データ／ページ対応情報６４を記憶する記憶装置６２を備えている。更に、記憶装置６２に記憶された紙面データ／ページ対応情報６４と、紙面データ７１とを用いて、新聞単位毎に、この新聞の全ページを対象として、重複掲載された素材の有無を検出する重複掲載素材検出部６０を備えている。【選択図】      図１
2007257178.tif 000002
【特許請求の範囲】
【請求項１】
新聞の各ページを構成する各紙面に掲載される少なくとも記事、画像、写真からなる複数の素材を各紙面に割り当て、前記割り当てられた素材を各紙面上に配置することによって紙面データを編集し、前記編集が完了した紙面データを降版して新聞を制作するシステムであって、
前記紙面データが降版されてなる紙面イメージが、他とは異なる箇所を少なくとも一箇所持ち、同一単位で配達又は販売される新聞群である新聞単位毎に、前記紙面データと、この紙面データが対応しているページとの対応関係を定義した紙面データ／ページ対応情報を記憶する記憶装置と、
前記記憶装置に記憶された紙面データ／ページ対応情報と、前記紙面データとを用いて、前記新聞単位毎に、この新聞の全ページを対象として、重複掲載された素材の有無を検出する重複掲載検出手段と
を備えた新聞制作システム。
【請求項２】
請求項１に記載の新聞制作システムにおいて、
前記重複掲載検出手段は、前記紙面データ／ページ対応情報と、前記紙面データとを用いて、前記新聞単位のうち、同一地域に配達され、かつ配達されるタイミングが連続している二つの新聞単位の全ページを対象として、重複掲載された素材の有無を検出する新聞制作システム。
【請求項３】
新聞の各ページを構成する各紙面に掲載される少なくとも記事、画像、写真からなる複数の素材を各紙面に割り当て、前記割り当てられた素材を各紙面上に配置することによって紙面データを編集し、前記編集が完了した紙面データを降版して新聞を制作するシステムに適用されるプログラムであって、
前記紙面データが降版されてなる紙面イメージが、他とは異なる箇所を少なくとも一箇所持ち、同一単位で配達又は販売される新聞群である新聞単位毎に、前記紙面データと、この紙面データが対応しているページとの対応関係を定義した紙面データ／ページ対応情報を記憶装置に書き込む機能、
前記記憶装置に記憶された紙面データ／ページ対応情報を読み出し、この読み出した紙面データ／ページ対応情報と、前記紙面データとを用いて、前記新聞単位毎に、この新聞の全ページを対象として、重複掲載された素材の有無を検出する機能
をコンピュータに実現させるためのプログラム。
【請求項４】
請求項３に記載のプログラムにおいて、
前記記憶装置に記憶された紙面データ／ページ対応情報を読み出し、読み出した紙面データ／ページ対応情報と、前記紙面データとを用いて、前記新聞単位のうち、同一地域に配達され、かつ配達されるタイミングが連続している二つの新聞単位の全ページを対象として、重複掲載された素材の有無を検出する機能
を更にコンピュータに実現させるためのプログラム。
【発明の詳細な説明】
【技術分野】
【０００１】
本発明は、新聞紙面上に割り付けられた各レイアウト領域に、記事、画像、及び写真を含む素材を配置することによって新聞を制作するシステムに係り、特に、複数紙面間で重複して掲載された素材を検出する機能を備えた新聞制作システム、及びプログラムに関するものである。
【背景技術】
【０００２】
従来、新聞制作は、例えば図３０に示すような構成の紙面制作システムを用いてなされている。この種の紙面制作システムは、通常は新聞社に設置され、記事入力／校正端末１と、記事サーバ２と、画像入力／加工端末３と、画像サーバ４と、組版端末５と、組版編集サーバ６と、紙面データ記憶装置７と、出力サーバ８と、プリンタ／プロッタ９とによって構成されている。
【０００３】
記事入力／校正端末１は、記事や、写真の説明文の入力および校正を行うための端末であり、オペレータによって記事や説明文が入力されると、入力された記事や説明文等の素材は、この記事入力／校正端末１によって記事サーバ２に出力される。また、この記事入力／校正端末１によって、記事サーバ２に蓄積されている記事や説明文が取得される。この取得された記事や説明文は、記事入力／校正端末１を介してなされるオペレータ操作によって校正がなされ、更に校正された記事や説明文は、記事入力／校正端末１から記事サーバ２に再び出力される。
【０００４】
記事サーバ２では、このようにして記事入力／校正端末１から入力された記事や説明文の他に、図示しない通信回線を経由して通信社などから入力された記事や説明文も送信される。この送信された記事や説明文もまた記事サーバ２に蓄積される。更に、記事入力／校正端末１からの校正要求に基づいて、蓄積している記事や説明文の中から、要求のあった記事や説明文が、記事サーバ２から記事入力／校正端末１へと出力される。更に、記事サーバ２に蓄積されている記事や説明文は、オペレータ指示に基づいて組版編集サーバ６に出力され、組版編集サーバ６でなされる組版編集に供される。
【０００５】
スキャナやディスプレイ等が備えられている画像入力／加工端末３では、画像や写真の素材の入力、およびこれら素材の加工が行われる。入力された画像や写真は、画像入力／加工端末３から画像サーバ４へと出力される。また、オペレータから入力された画像や写真の加工操作入力に基づいて画像や写真の加工が行われ、これら加工された素材は、この画像入力／加工端末３から画像サーバ４へと出力される。
【０００６】
画像入力／加工端末３から出力されたこれら素材は、画像サーバ４に蓄積される。また、画像サーバ４に蓄積されている画像や写真は、画像入力／加工端末３から要求があると、画像入力／加工端末３に出力される。また、オペレータから指示があった場合には、組版編集サーバ６に出力され、ここで行われる組版編集に供される。
【０００７】
組版端末５は、オペレータが、記事、画像、写真、写真の説明文、および見出しのレイアウト編集を行うための操作入力を行う端末であり、各オペレータに対して１台ずつ備えられている。図３０では、代表的に１台の組版端末５のみを示している。各オペレータは、自分が担当する組版端末５を操作することによってレイアウト編集作業を行っている。
【０００８】
組版編集サーバ６では、組版端末５から出力された操作情報に基づいて、紙面データ７１の編集作業が行われる。そして、このように組版編集サーバ６で編集作業がなされた紙面データ７１は、紙面データ記憶装置７に格納される。また、一旦格納された紙面データ７１が再び組版編集サーバ６へと読み出され、再び編集作業が行われた後に紙面データ記憶装置７に格納されることも可能である。
【０００９】
出力サーバ８では、組版端末５からの大刷／版下出力指示にしたがって、組版編集サーバ６から出力された紙面データ７１がドットデータに展開される。このように展開されたドットデータに基づいて、プリンタ／プロッタ９から大刷や版下が出力される。
【００１０】
このようにして制作される新聞紙面には、極めて多くの素材が配置されることになるので、同じ素材が重複して配置されることが無いように、紙面データ７１の編集段階において重複配置の有無がチェックされている。このような重複配置を阻止する従来技術としては、例えば下記特許文献１乃至３がある。
【００１１】
特許文献１によれば、要素占有テーブルを使用することによって、同一の素材の重複掲載が防止される。また、特許文献２によれば、複数紙面間での素材の差異が検出される。更に、特許文献３によれば、複数の紙面を対象として、同一素材の配置状態の差異が検出される。
【特許文献１】特開２００１−２２８５９６号公報
【特許文献２】特開２００３−２７０７７０号公報
【特許文献３】特開２００３−２７１５７８号公報
【発明の開示】
【発明が解決しようとする課題】
【００１２】
しかしながら、このような従来の技術では、以下のような問題がある。
【００１３】
すなわち、上述した従来の技術により、素材の重複掲載の防止は一応可能になっている。しかし、実際に制作される面である制作面と、新聞単位との関係は、例えば、図３１（ａ）及び図３１（ｂ）のようになっている。ここで、新聞単位とは、他とは異なる紙面イメージを少なくとも一箇所持ち、同一単位で配達又は販売される新聞群のことを称している。逆に言えば、同一の新聞単位では、紙面イメージが、全てのページにおいて同一となる。例えば、異なる日に発行される新聞同士は、異なる新聞単位である。同じ日に発行される新聞同士であっても、朝刊と夕刊とは異なる新聞単位である。また、新聞は、どの地域でも共通の紙面（但し、配送時刻の関係で紙面の締切り時刻が異なるため版名が異なる場合がある）と、各地域毎に作成される、所謂地方版と称される紙面とがある。この地方版にも、共通して掲載される素材と、該当地域のみしか掲載されない素材とがある。したがって、同じ日に発行される朝刊あるいは夕刊同士であっても、配達される地域によって、異なる新聞単位となりうる。
【００１４】
上述した従来の技術では、素材の重複掲載の検出を、このような新聞単位を考慮して行っている訳ではない。したがって、従来の技術では、新聞単位で考慮した場合には重複掲載は無い場合であっても、重複掲載が有るものとして誤判定されてしまう。これを図３１（ａ）及び図３１（ｂ）を用いて説明する。
【００１５】
図３１（ａ）に示す場合は、第一面用に制作した紙面Ｐ１と、第二面用に制作した紙面Ｐ２とに素材の重複掲載がある場合である。この場合、紙面Ｐ１に掲載された素材と、紙面Ｐ２に掲載された素材とが比較されることによって、上述した従来の技術によって、紙面Ｐ１と紙面Ｐ２とに素材の重複掲載があると判定される。
【００１６】
一方、図３１（ｂ）に示す場合は、第一面用として神奈川版用の紙面Ｐ１ａと、埼玉版用の紙面Ｐ１ｂとの２つが制作され、第二面用として神奈川版と埼玉版に共通の紙面Ｐ２が制作された場合である。そして、紙面Ｐ１ａと紙面Ｐ１ｂとに素材の重複掲載があり、紙面Ｐ１ａと紙面Ｐ２、及び紙面Ｐ１ｂと紙面Ｐ２の間には素材の重複掲載がないものとする。このような場合、紙面Ｐ１ａと紙面Ｐ２とから構成される神奈川版、及び紙面Ｐ１ｂと紙面Ｐ２とから構成される埼玉版ともに第一面と第二面との間に重複掲載された素材は存在しない。しかしながら、上述した従来の技術では、紙面Ｐ１ａと紙面Ｐ１ｂとの間に素材の重複掲載があることから、重複掲載があるものと判定されてしまう。
【００１７】
このように、上述した従来の技術では、素材の重複掲載の有無の判定が、新聞単位を考慮して行われていないため、図３１（ｂ）に示すように、実際には重複掲載ではない場合でも重複掲載として判定されることもあり、オペレータは、この判定が、本当に重複掲載に該当するかの確認を要するという手間が生じ、作業効率の低下をもたらすという問題がある。
【００１８】
更に、上述した従来の技術では、素材の重複掲載の有無の判定は、同じタイミングで配達される新聞単位のみに限られている。したがって、同一日の朝刊と夕刊との間、又は夕刊とその翌日の朝刊との間での素材の重複掲載の検出までは想定されていない。したがって、配達されるタイミングが連続している二つの新聞単位の間では、同じ素材が掲載されていても、それは検出されないという問題がある。
【００１９】
本発明はこのような事情に鑑みてなされたものであり、素材の重複掲載の有無の検出を、新聞単位を考慮して行うことによって、素材の重複掲載の有無を、より高い精度で判定することが可能な新聞制作システム、及びプログラムを提供することを目的とする。
【課題を解決するための手段】
【００２０】
上記の目的を達成するために、本発明では、以下のような手段を講じる。
【００２１】
すなわち、請求項１の発明は、新聞の各ページを構成する各紙面に掲載される少なくとも記事、画像、写真からなる複数の素材を各紙面に割り当て、割り当てられた素材を各紙面上に配置することによって紙面データを編集し、編集が完了した紙面データを降版して新聞を制作するシステムである。この新聞制作システムは、記憶装置と、重複掲載検出手段とを備えている。この記憶装置は、紙面データが降版されてなる紙面イメージが、他とは異なる箇所を少なくとも一箇所持ち、同一単位で配達又は販売される新聞群である新聞単位毎に、紙面データと、この紙面データが対応しているページとの対応関係を定義した紙面データ／ページ対応情報を記憶する。また、重複掲載検出手段は、記憶装置に記憶された紙面データ／ページ対応情報と、紙面データとを用いて、新聞単位毎に、この新聞の全ページを対象として、重複掲載された素材の有無を検出する
従って、請求項１の発明の新聞制作システムにおいては、以上のような手段を講じることにより、全く同じ新聞が配達される地域毎に、重複掲載素材を検出することができる。
【００２２】
また、請求項２の発明では、請求項１の発明の新聞制作システムにおいて、重複掲載検出手段は、紙面データ／ページ対応情報と、紙面データとを用いて、新聞単位のうち、同一地域に配達され、かつ配達されるタイミングが連続している二つの新聞単位の全ページを対象として、重複掲載された素材の有無を検出する。
【００２３】
従って、請求項２の発明の新聞制作システムにおいては、以上のような手段を講じることにより、全く同じ新聞が配達される地域において、重複掲載素材を検出できるのみならず、その日の朝刊と夕刊、あるいはその日の夕刊と翌日の朝刊のように、配達されるタイミングが連続している二つの新聞単位の全ページを対象として、重複掲載された素材の有無を検出することができる。
【００２４】
請求項３及び請求項４の発明は、上述したような重複掲載検出手段による処理をコンピュータに実現させるためのプログラムである。
【発明の効果】
【００２５】
本発明によれば、素材の重複掲載の有無の検出を、新聞単位を考慮して行うことによって、素材の重複掲載の有無を、より高い精度で判定することが可能な新聞制作システム、及びプログラムを実現することができる。
【発明を実施するための最良の形態】
【００２６】
以下に、本発明を実施するための最良の形態について図面を参照しながら説明する。
【００２７】
なお、以下の各形態の説明に用いる図中の符号は、図３０と同一部分については同一符号を付して示すことにする。
【００２８】
（第１の実施の形態）
すなわち、本発明の第１の実施の形態に係る新聞制作システムは、組版編集サーバ６又は組版端末５に、重複掲載素材検出部６０と、メモリやハードディスク等である対応情報記憶装置６２とを備えている。
【００２９】
以下では、図１の機能ブロックに示すように、重複掲載素材検出部６０と対応情報記憶装置６２とをともに組版編集サーバ６に備えた場合の例を用いて説明する。
【００３０】
対応情報記憶装置６２は、紙面データ７１と、紙面データ７１が掲載されるページとの対応関係を、新聞単位毎に定義した紙面データ／ページ対応情報６４を記憶している。
【００３１】
紙面データ７１の構成例を以下に説明する。すなわち、紙面データ７１は、図２に示すような管理情報と、例えば図３から図９に示すような各素材情報と、図１０に示すような実データテーブルとからなっている。
【００３２】
管理情報は、図２に示すように、紙面データ識別番号７１ＩＤ、掲載年月日７１ＫＮ、面名７１ＭＮ、版名７１ＨＮ、印刷ページ番号７１ＰＧ、体裁情報（組方向、段数、字詰、文字サイズ、段間、行間など）７１ＴＳ、紙面Ｘ方向寸法７１ＰＸ、紙面Ｙ方向寸法７１ＰＹの各データからなっている。
【００３３】
素材情報は、紙面への配置が検討されている全ての素材毎に存在するものである。したがって、例えば、記事ａ、画像ｂ、記事ｃ、画像ｄ、記事ｅ、記事ｆ、画像ｇの各素材情報の配置が検討されている紙面の場合においては、図３から図９に示すように、これら各素材毎に素材情報が存在する。これはあくまで紙面に７つの素材を配置する場合の例であって、これ以上の素材が配置される場合も、またこれ以下の素材の配置で済む場合もある。何れの場合においても、配置される素材毎にこのような素材情報が存在する。
【００３４】
このような素材情報のデータ構成は、記事の場合、＃１素材情報（記事ａ）を対象とした図３に示すように、素材種別７１ＳＢ（＃１）、素材識別番号７１ＩＤ（＃１）、素材配置情報７１ＦＬ（＃１）、素材配置位置座標７１ＬＭ（＃１）、素材縦横寸法７１ＳＺ（＃１）、素材仮見出７１ＫＭ（＃１）、記事のテキスト格納アドレス情報７１ＡＤ（＃１）、記事のレイアウト済テキスト格納アドレス情報７１ＢＤ（＃１）を持つ。図５、図７、及び図８も記事に関する素材情報であるので同様なデータ構成をしている。
【００３５】
一方、図４、図６、及び図９は画像に関する素材情報である。これらは、記事に関する素材情報と一部異なるデータ項目があるものの、記事に関する素材情報とほぼ同じ項目のデータからなっている。
【００３６】
実データは、図１０に示すように、テキスト７１ＴＸ（＃ｎ）、レイアウト済テキスト７１ＬＸ（＃ｎ）、表示画データ７１ＨＩ（＃ｎ）、実画像データ７１ＲＩ（＃ｎ）等からなっている。
【００３７】
新聞単位とは、前述したように、他とは異なる紙面イメージを少なくとも一箇所持つ新聞群のことを称している。逆に言えば、同一の新聞単位では、紙面イメージが、全てのページにおいて同一となる。具体的には、異なる日に発行される新聞同士は、異なる新聞単位である。また、同じ日に発行される新聞同士であっても、朝刊と夕刊とは異なる新聞単位である。更にまた、同じ日に発行された朝刊あるいは夕刊同士であっても、配達される地域によって、異なる新聞単位となりうる。
【００３８】
このような新聞単位毎に、紙面データ７１と、紙面データ７１が掲載されるページとの対応関係を定義した紙面データ／ページ対応情報６４のデータ構成例を図１１に示す。図１１に示すデータ構成は、新聞単位として、配達される地域（配達地域）毎に考慮した例を示している。紙面データ／ページ対応情報６４は、新聞の発行日付６４ｄＤＴ（ｄは発行日の識別番号）の他に、配達地域毎に、配達地域の名称６４ｄｎＮＭ（ｎは地域の識別番号）を有している。更に配達地域の名称６４ｄｎＮＭの下には、ページ毎に、面版名６４ｄｎＭＨｍ（ｍはページ番号）と紙面データ識別番号６４ｄｎＤＡｍとを有している。
【００３９】
重複掲載素材検出部６０は、対応情報記憶装置６２に記憶された紙面データ／ページ対応情報６４と、紙面データ記憶装置７に記憶された紙面データ７１とを読み出し、紙面データ／ページ対応情報６４と紙面データ７１とを用いて、新聞単位毎に、全ページに亘って、重複掲載された素材の有無を検出する。
【００４０】
以上のように構成された新聞制作システムは、例えば磁気ディスク（フロッピー（登録商標）ディスク、ハードディスク等）、光ディスク（ＣＤ−ＲＯＭ、ＤＶＤ等）、半導体メモリ等の記録媒体に記録されたプログラムや、インターネット等の通信ネットワークを介してダウンロードしたプログラムを読み込み、このプログラムによって動作が制御されるコンピュータによって実現される。また、この記録媒体に記録されたプログラムは、コンピュータに実行させるソフトウエア手段（実行プログラムのみならずテーブルやデータ構造も含む）をコンピュータ内に構成させる設定プログラムをも含む。このプログラムは、記録媒体から、あるいは通信媒体からコンピュータに読み込まれると、このコンピュータを以下のように動作させる。
【００４１】
次に、以上のように構成した本実施の形態に係る新聞制作システムにおける重複掲載素材検出部６０の動作について図１２乃至図１９のフローチャートを用いて説明する。
【００４２】
まず、オペレータが、組版編集サーバ６を操作することによって、重複掲載素材を検出する対象とする新聞の発行日付を指定する。すると、重複掲載素材検出部６０によって、指定された発行日付の紙面データ／ページ対応情報６４が、対応情報記憶装置６２から読み出され、配達地域＃１が処理対象とされる（Ｓ１）。
【００４３】
次に、比較元ページとして１ページが処理対象とされる（Ｓ２）。更に、比較先ページとして２ページが処理対象とされる（Ｓ３）。
【００４４】
そして、紙面データ／ページ対応情報６４の比較元ページに対応した紙面データ識別番号６４ｄｎＤＡｍが取得され、対応する紙面データ７１が、紙面データ記憶装置７から読み出される（Ｓ４）。同様に、紙面データ／ページ対応情報６４の比較先ページに対応した紙面データ識別番号６４ｄｎＤＡｍが取得され、対応する紙面データ７１が、紙面データ記憶装置７から読み出される（Ｓ５）。
【００４５】
次に、比較元ページの紙面データ７１内の素材情報のうちの第一番目の素材が処理対象とされる（Ｓ６）。同様に、比較先ページの紙面データ７１内の素材情報のうちの第一番目の素材が処理対象とされる（Ｓ７）。
【００４６】
そして、比較元ページの該当素材の素材配置情報７１ＦＬから、該当素材が配置済みであるか否かが判定される（Ｓ８）。該当素材が配置済みである場合（素材配置情報７１ＦＬ＝配置）（Ｓ８：Ｙｅｓ）には、更に、比較先ページの該当素材の素材配置情報７１ＦＬから、該当素材が配置済みであるか否かが判定される（Ｓ９）。そして、該当素材が配置済みである場合（Ｓ９：Ｙｅｓ）には、比較元ページの紙面データの素材情報内の処理対象素材の示す素材識別番号７１ＩＤと、比較先ページの紙面データの素材情報内の処理対象素材の示す素材識別番号７１ＩＤとが比較される（Ｓ１０）。
【００４７】
そして、両素材識別番号７１ＩＤが一致する場合には（Ｓ１１：Ｙｅｓ）、これら素材は重複掲載されたものとして記録される（Ｓ１２）。これにより、比較先ページの全ての素材情報が処理された訳でなければ（Ｓ１３：Ｎｏ）、更に、比較先ページの次の素材情報が対象とされ（Ｓ１４）、しかる後に、ステップＳ９の処理に戻る。
【００４８】
一方、ステップＳ１３において、比較先ページの全ての素材情報が処理されているのであれば（Ｓ１３：Ｙｅｓ）、更に、当該配達地域内の全てのページが比較先ページとして処理されたか否かが判定される（Ｓ１５）。そして、当該配達地域内の全てのページが比較先ページとして処理された訳でなければ（Ｓ１５：Ｎｏ）、当該配達地域の次のページが比較先ページとされ（Ｓ１６）、ステップＳ５の処理に戻る。
【００４９】
一方、ステップＳ１５において、当該配達地域の全てのページが比較先ページとして処理されているのであれば（Ｓ１５：Ｙｅｓ）、当該配達地域内の全てのページが比較元ページとして処理されたか否かが判定される（Ｓ１７）。そして、当該配達地域内の全てのページが比較元ページとして処理された訳ではないのであれば（Ｓ１７：Ｎｏ）、当該配達地域の次のページが比較元ページとされ（Ｓ１８）、更に比較元ページの次のページが比較先ページとされ（Ｓ１９）、ステップＳ４の処理に戻る。
【００５０】
一方、ステップＳ１７において、当該配達地域内の全てのページが比較元ページとして処理されているのであれば（Ｓ１７：Ｙｅｓ）、更に、指定された日付の全ての配達地域に対して処理がなされたか否かが判定される（Ｓ２０）。そして、指定された日付の全ての配達地域に対して処理がなされた訳でなければ（Ｓ２０：Ｎｏ）、次の配達地域が処理対象とされ（Ｓ２１）、ステップＳ２の処理に戻る。
【００５１】
一方、ステップＳ２０において、指定された日付の全ての配達地域に対して処理がなされているのであれば（Ｓ２０：Ｙｅｓ）、これまでに検出された重複掲載の状況が出力され、一連の処理を終了する（Ｓ２２）。
【００５２】
一方、ステップＳ１１において、両素材識別番号７１ＩＤが一致しない場合（Ｓ１１：Ｎｏ）、ステップＳ９において、該当素材が配置済みではない場合（Ｓ９：Ｎｏ）には、ステップＳ１３の処理に移行する。
【００５３】
また、ステップＳ８において、該当素材が未配置である場合（素材配置情報７１ＦＬ＝未配置）である場合（Ｓ８：Ｎｏ）には、更に、比較元ページの全ての素材情報が処理されたか否かが判定される（Ｓ２３）。そして、比較元ページの全ての素材情報が処理された訳ではない場合（Ｓ２３：Ｎｏ）には、比較元ページの次の素材情報が対象とされ（Ｓ２４）、ステップＳ８の処理に移行する。一方、ステップＳ２３において、比較元ページの全ての素材情報が処理された場合（Ｓ２３：Ｙｅｓ）には、ステップＳ１７の処理に移行する。
【００５４】
なお、対応情報記憶装置６２は、組版編集サーバ６内の配置に限定されるものではない。例えば、組版編集サーバ６の外部に独立して備えられていても良い。また、対応情報記憶装置６２を設けずに、紙面データ／ページ対応情報を、紙面データ記憶装置７に記憶するようにしても良い。この場合、重複掲載素材検出部６０は、紙面データ記憶装置７から紙面データ／ページ対応情報を読み出し、上述したような処理を行う。
【００５５】
上述したように、本実施の形態に係る新聞制作システムは、上記のように動作することにより、配達地域毎に、重複掲載素材を検出することができる。その結果、素材の重複掲載のチェックに要するオペレータの作業負担が軽減され、もって、オペレータの作業効率の向上を図ることが可能となる。
【００５６】
（第２の実施の形態）
第２の実施の形態に係る新聞制作システムは、第１の実施の形態に係る新聞制作システムの変形例であるので、ここでは、第１の実施の形態と異なる点のみについて説明する。
【００５７】
すなわち、第１の実施の形態に係る新聞制作システムでは、配達地域毎に重複掲載素材を検出することができるシステムであったが、本実施の形態に係る新聞制作システムは、配達地域毎に重複掲載素材を検出することができるのみならず、同一の配達地域においてその日の朝刊と夕刊、その日の夕刊と翌日の朝刊のように、配達されるタイミングが連続している二つの新聞単位の全ページを対象にして、重複掲載された素材の有無を検出するシステムである。
【００５８】
これを実現するために、本実施の形態に係る新聞制作システムでは、図１１に示すような紙面データ／ページ対応情報６４に代えて、図２０に示すような紙面データ／ページ対応情報６５を用いる。この紙面データ／ページ対応情報６５は、図１１に示す紙面データ／ページ対応情報６４の各配達地域のデータに、配達地域の識別番号６５ｄｎＩＤ、及び配達単位の前発行の識別番号６５ｄｎＰＲを追加した点のみが異なる。
【００５９】
そして、重複掲載素材検出部６０は、紙面データ／ページ対応情報６５に基づいて、新聞単位のうち、同一地域に配達される新聞単位であり、かつ配達されるタイミングが連続している二つの新聞単位の全ページを対象にして、重複掲載された素材の有無を検出する。
【００６０】
次に、以上のように構成した本実施の形態に係る新聞制作システムにおける重複掲載素材検出部６０の動作について図２１乃至図２８のフローチャートを用いて説明する。
【００６１】
図２１乃至図２８に示すフローチャートは、図１２乃至図１９に示すフローチャートにおけるステップＳ２の後にステップＳ２ａの処理を追加し、ステップＳ３に代えてステップＳ３ａの処理を行い、ステップＳ１９の処理を省略した点のみが異なっている。
【００６２】
ステップＳ２ａでは、当該配達地域の前発行の識別番号６５ｄｎＰＲが、紙面データ／ページ対応情報６５から取得される。そして、ステップ３ａでは、ステップＳ２ａで取得された識別番号６５ｄｎＰＲに対応するデータの１ページが処理対象とされる。ステップＳ１８では、当該配達地域の次のページが比較元ページとされた後、ステップ３ａの処理に戻る。
【００６３】
図２９（ａ）及び図２９（ｂ）は、ステップＳ２２において出力された結果の一例を示している。図２９（ａ）は、朝刊の１ページから４ページに掲載された素材の一覧を、図２９（ｂ）は、同日の夕刊の１ページから４ページに掲載された素材の一覧をそれぞれ示している。図２９（ａ）及び図２９（ｂ）ともに、配達地域＃１〜＃４までの朝刊及び夕刊を対象にしている。
【００６４】
配達地域毎に見た場合、図２９（ａ）から、どの配達地域であっても、朝刊には、１ページから４ページまでに重複掲載がなされていないことが分かる。すなわち、同じ配達地域で見た場合、同じ素材が別のページに掲載されていない。また、図２９（ｂ）から、夕刊も、どの配達地域であっても、１ページから４ページまでに重複掲載がなされていないことが分かる。すなわち、同じ配達地域で見た場合、同じ素材が別のページに掲載されていない。
【００６５】
しかしながら、朝刊と夕刊とを見た場合、配達単位＃１、配達単位＃２、及び配達単位＃３ともに、素材ｂが朝刊の１ページと夕刊の１ページに重複して掲載されており、配達単位＃４については、重複掲載された素材は無いことが分かる。
【００６６】
上述したように、本実施の形態に係る新聞制作システムにおいては、配達地域毎に重複掲載素材を検出することができるのみならず、同一の配達地域において、その日の朝刊と夕刊、その日の夕刊と翌日の朝刊のように、配達されるタイミングが連続している二つの新聞単位の全ページを対象にして、重複掲載された素材の有無を検出することができる。新聞は、配達単位毎に異なる締め切り時刻の違いから、一部の配達地域には掲載されなかった素材を次の日の朝刊または夕刊に掲載する場合があるが、本実施の形態に係る新聞制作システムによれば、同一の配達地域において、配達されるタイミングが連続している二つの新聞単位の全ページを対象にして、重複掲載された素材の有無を検出することができるので、素材の重複掲載のチェックに要するオペレータの作業負担が軽減され、もって、オペレータの作業効率の向上を図ることが可能となる。
【００６７】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００６８】
【図１】第１の実施の形態に係る新聞制作システムの組版編集サーバの構成例を示す機能ブロック図。
【図２】管理情報の一例を示すデータ構成図。
【図３】＃１素材情報の一例を示すデータ構成図（記事ａ）。
【図４】＃２素材情報の一例を示すデータ構成図（画像ｂ）。
【図５】＃３素材情報の一例を示すデータ構成図（記事ｃ）。
【図６】＃４素材情報の一例を示すデータ構成図（画像ｄ）。
【図７】＃５素材情報の一例を示すデータ構成図（記事ｅ）。
【図８】＃６素材情報の一例を示すデータ構成図（記事ｆ）。
【図９】＃７素材情報の一例を示すデータ構成図（画像ｇ）。
【図１０】実データテーブルの一例を示すデータ構成図。
【図１１】第１の実施の形態における紙面データ／ページ対応情報の一例を示すデータ構成図。
【図１２】第１の実施の形態に係る新聞制作システムにおける重複掲載素材検出部の動作を示すフローチャート（その１）。
【図１３】第１の実施の形態に係る新聞制作システムにおける重複掲載素材検出部の動作を示すフローチャート（その２）。
【図１４】第１の実施の形態に係る新聞制作システムにおける重複掲載素材検出部の動作を示すフローチャート（その３）。
【図１５】第１の実施の形態に係る新聞制作システムにおける重複掲載素材検出部の動作を示すフローチャート（その４）。
【図１６】第１の実施の形態に係る新聞制作システムにおける重複掲載素材検出部の動作を示すフローチャート（その５）。
【図１７】第１の実施の形態に係る新聞制作システムにおける重複掲載素材検出部の動作を示すフローチャート（その６）。
【図１８】第１の実施の形態に係る新聞制作システムにおける重複掲載素材検出部の動作を示すフローチャート（その７）。
【図１９】第１の実施の形態に係る新聞制作システムにおける重複掲載素材検出部の動作を示すフローチャート（その８）。
【図２０】第２の実施の形態における紙面データ／ページ対応情報の一例を示すデータ構成図。
【図２１】第２の実施の形態に係る新聞制作システムにおける重複掲載素材検出部の動作を示すフローチャート（その１）。
【図２２】第２の実施の形態に係る新聞制作システムにおける重複掲載素材検出部の動作を示すフローチャート（その２）。
【図２３】第２の実施の形態に係る新聞制作システムにおける重複掲載素材検出部の動作を示すフローチャート（その３）。
【図２４】第２の実施の形態に係る新聞制作システムにおける重複掲載素材検出部の動作を示すフローチャート（その４）。
【図２５】第２の実施の形態に係る新聞制作システムにおける重複掲載素材検出部の動作を示すフローチャート（その５）。
【図２６】第２の実施の形態に係る新聞制作システムにおける重複掲載素材検出部の動作を示すフローチャート（その６）。
【図２７】第２の実施の形態に係る新聞制作システムにおける重複掲載素材検出部の動作を示すフローチャート（その７）。
【図２８】第２の実施の形態に係る新聞制作システムにおける重複掲載素材検出部の動作を示すフローチャート（その８）。
【図２９】重複掲載素材検出部からの出力結果の一例を示す図。
【図３０】従来技術の新聞制作システムの構成例を示す機能ブロック図。
【図３１】新聞単位で見た場合の重複を説明するための図。
【符号の説明】
【００６９】
１…記事入力／校正端末、２…記事サーバ、３…画像入力／加工端末、４…画像サーバ、５…組版端末、６…組版編集サーバ、７…紙面データ記憶装置、８…出力サーバ、９…プリンタ／プロッタ、６０…重複掲載素材検出部、６２…対応情報記憶装置、６４，６５…紙面データ／ページ対応情報、７１…紙面データ
【図１】
2007257178.tif 000003
【図２】
2007257178.tif 000004
【図３】
2007257178.tif 000005
【図４】
2007257178.tif 000006
【図５】
2007257178.tif 000007
【図６】
2007257178.tif 000008
【図７】
2007257178.tif 000009
【図８】
2007257178.tif 000010
【図９】
2007257178.tif 000011
【図１０】
2007257178.tif 000012
【図１１】
2007257178.tif 000013
【図１２】
2007257178.tif 000014
【図１３】
2007257178.tif 000015
【図１４】
2007257178.tif 000016
【図１５】
2007257178.tif 000017
【図１６】
2007257178.tif 000018
【図１７】
2007257178.tif 000019
【図１８】
2007257178.tif 000020
【図１９】
2007257178.tif 000021
【図２０】
2007257178.tif 000022
【図２１】
2007257178.tif 000023
【図２２】
2007257178.tif 000024
【図２３】
2007257178.tif 000025
【図２４】
2007257178.tif 000026
【図２５】
2007257178.tif 000027
【図２６】
2007257178.tif 000028
【図２７】
2007257178.tif 000029
【図２８】
2007257178.tif 000030
【図２９】
2007257178.tif 000031
【図３０】
2007257178.tif 000032
【図３１】
2007257178.tif 000033